(57)【特許請求の範囲】
【請求項１】
アングル状部を具備する窓用サッシと、少なくとも内装ボードからなる窓枠材との間に介挿され、耐水性を有する柱状のサッシ用見切り材であって、
窓用サッシと、これが取り付けられる木枠との間に介挿されるサッシスペーサに隣接する下地枠、若しくはサッシスペーサを兼ねる下地枠に当接する下地枠当接面と、前記窓用サッシの前記アングル状部に対向して、前記アングル状部を支持するアングル状部支持面と、前記窓枠材の少なくとも前記内装ボードを支持する窓枠材支持部とを具備し、
前記アングル状部支持面には、前記窓用サッシに発生した結露が前記窓枠材に接触することを防止するための結露遮断用凸部が突設していることを特徴とするサッシ用見切り材。
【請求項２】
前記窓枠材支持部は、前記窓枠材の少なくとも前記内装ボードが嵌合可能に形成されていることを特徴とする請求項１に記載のサッシ用見切り材。
【請求項３】
アングル状部を具備する窓用サッシに、請求項１又は請求項２に記載のサッシ用見切り材が取り付けられたことを特徴とするサッシ構造。
【発明の詳細な説明】
【０００１】
【発明の属する技術分野】
本発明は、アングル状部を具備する窓用サッシと、少なくとも内装ボードからなる窓枠材との間に介挿されるサッシ用見切り材、及びこのサッシ用見切り材を用いたサッシ構造に関するものである。
【０００２】
【従来の技術】
建築物の窓は、窓を設ける壁等に木枠を取り付けて開口部を形成し、該開口部に窓用サッシを取り付け、窓ガラス等を嵌め込むことにより概略形成されるが、開口部を形成するための木枠等が室内側に露出し、美観を損ねることを防止するために、開口部の窓用サッシの室内側に、開口部外周に沿って窓枠を取り付けることが広く行われている。窓枠は開口部外周の各片に取り付けられた窓枠材により構成され、窓枠材としては、耐水性に優れ、美観にも優れた木材や、耐水性を有しない内装ボード等が用いられている。
【０００３】
以下、図６に基づいて、内装ボードを用いて窓枠材を構成した従来の窓の構成例について説明する。なお、図６は、従来の窓の横断面図（床面に対して水平方向に切断した時の断面図）であり、図示右側が室内側、図示左側が室外側を示している。
【０００４】
図６に示すように、従来の窓１００においては、窓１００を設ける箇所に対応させて木枠２１０が取り付けられ、木枠２１０の内部に開口部２００が形成されている。そして、この開口部２００に対して室外側から窓用サッシ３００が取り付けられ、窓用サッシ３００の、符号３２０で示す領域に窓ガラス等（図示略）が嵌め込まれている。なお、窓用サッシ３００の室内側端部には施工が容易であることから断面Ｌ字状のアングル状部３０１が形成されている。
【０００５】
一般に、窓用サッシ３００は規格によりその寸法が決まっており、かつ、窓用サッシ３００を容易に開口部２００に嵌め込むために、開口部２００は窓用サッシ３００の寸法よりも大きく構成される。そこで、窓用サッシ３００と木枠２１０との間には、木片等からなるサッシスペーサ３１０が介挿され、窓用サッシ３００と木枠２１０との間の間隔調整が行われている。
【０００６】
また、開口部２００の窓用サッシ３００の室内側には、開口部２００外周に沿って窓枠４００が取り付けられている。この窓枠４００は、開口部２００外周の各片に取り付けられた、内装ボード及びクロス等の仕上げ材からなる窓枠材４２０により構成されている。また、内装ボードの厚みは規格により決まっているので、窓枠材４２０と木枠２１０との間の間隔を調整するために、窓枠材４２０と木枠２１０との間には、窓枠材４２０の下地材である下地枠４１０が取り付けられている。
【０００７】
さらに、窓用サッシ３００のアングル状部３０１と窓枠材４２０との間にはサッシ用見切り材５００が介挿されている。サッシ用見切り材５００は、図６に示すように、断面Ｌ字状に構成され、その図示右端には、窓用サッシ３００に発生した結露が窓枠材４２０に接触し、耐水性を有しない窓枠材４２０が劣化することを防止するための結露遮断用凸部が形成されている。
【０００８】
以上のように概略構成された従来の窓１００において、窓用サッシ３００は、室外側については止めネジ６１０により木枠２１０に固定されている。また、室内側については、窓用サッシ３００のアングル状部３１０がサッシ用見切り材５００と共に、止めネジ６２０により窓枠材４２０及び下地枠４１０に固定されている。
【０００９】
【発明が解決しようとする課題】
内装ボードを用いて窓枠材を構成した上記従来の窓においては、開口部の大きさ、窓用サッシの寸法、内装ボードの厚みによって、サッシスペーサと下地枠の厚みが各々決定される。したがって、これらの厚みが異なることが多く、施工現場にて、木材等を加工して、サッシスペーサ及び下地枠用に厚みの異なる２種類の木片等を用意する必要があり、施工性が低下していた。
【００１０】
また、窓用サッシのアングル状部をサッシ用見切り材と共に、窓枠材に止めネジで固定する必要があったため、窓用サッシの固定は、窓枠材とサッシ用見切り材を取り付けてはじめて完了する。しかしながら、サッシの施工業者と、内装ボートやクロス等の施工業者は異なるため、内装ボートやクロス等の施工は、窓用サッシの取り付け後、数日以上経って行われることが多い。したがって、窓用サッシの取り付けと同時に窓用サッシの固定が完了せず、窓用サッシが完全固定されないまま数日以上が経過する、サッシの施工業者以外の業者が窓用サッシの固定を完了しなければならないなど、施工性が低下していた。
【００１１】
そこで、本発明は上記事情に鑑みてなされたものであり、内装ボードを用いて窓枠材を構成する場合に、施工性の向上を図ることができる手段を提供することを目的とする。
【００１２】
【課題を解決するための手段】
本発明者は上記課題を解決するべく検討を行った結果、以下のサッシ用見切り材及びこれを用いたサッシ構造を発明するに到った。
本発明のサッシ用見切り材は、アングル状部を具備する窓用サッシと、少なくとも内装ボードからなる窓枠材との間に介挿され、耐水性を有する柱状のサッシ用見切り材であって、窓用サッシと、これが取り付けられる木枠との間に介挿されるサッシスペーサに隣接する下地枠、若しくはサッシスペーサを兼ねる下地枠に当接する下地枠当接面と、前記窓用サッシの前記アングル状部に対向して、前記アングル状部を支持するアングル状部支持面と、前記窓枠材の少なくとも前記内装ボードを支持する窓枠材支持部とを具備し、前記アングル状部支持面には、前記窓用サッシに発生した結露が前記窓枠材に接触することを防止するための結露遮断用凸部が突設していることを特徴とする。
【００１３】
なお、本明細書において、「少なくとも内装ボードからなる窓枠材」とは、「内装ボードのみからなる窓枠材」、あるいは「内装ボード及びその表面に貼着されたクロス等の仕上げ材からなる窓枠材」を意味しているものとする。
【００１４】
すなわち、本発明のサッシ用見切り材は、窓用サッシのアングル状部を支持するアングル状部支持面と、窓枠材の少なくとも内装ボードを支持する窓枠材支持部とを具備し、窓用サッシと窓枠材との間に介挿される見切り材である。また、従来のサッシ用見切り材は、窓枠材上に取り付けられていたのに対して、本発明のサッシ用見切り材は、窓枠材を取り付ける下地材である、サッシスペーサに隣接する下地枠、若しくはサッシスペーサを兼ねる下地枠上に、窓枠材とともに取り付けられるものである。
【００１５】
本発明者は、以上の構成を採用することにより、サッシ用見切り材に、窓用サッシと窓枠材との間、若しくは窓用サッシと窓枠材が取り付けられる下地材との間の隙間を埋めるスペーサとしての機能を付与することができることを見出した。なお、本発明のサッシ用見切り材がスペーサとして機能する理由については、「発明の実施の形態」の項において説明する。
【００１６】
したがって、本発明のサッシ用見切り材を用いる場合には、本発明のサッシ用見切り材がスペーサとして機能するため、下地枠の設計自由度が広がり、サッシスペーサと下地枠の厚みを略同一とすることができる。その結果、サッシスペーサと下地枠用に、厚みの異なる木片等を用意する必要がなくなるので、施工性の向上を図ることができる。
【００１７】
また、サッシスペーサと下地枠とを一体形成することも可能になり、この場合には使用する部材点数が低減されるので、施工性の向上を一層図ることができる。
【００１９】
また、本発明のサッシ用見切り材は、窓枠材を取り付ける下地材上に直接取り付けられるものであるから、本発明のサッシ用見切り材を用いることにより、窓枠材の施工を終了する前に、窓用サッシの施工（取り付け及び固定）を完了することができ、施工性の向上を図ることができる。
【００２０】
さらに、本発明のサッシ用見切り材において、アングル状部支持面には、窓用サッシに発生した結露が窓枠材に接触することを防止するための結露遮断用凸部を設ける構成としているため、従来と同様に、窓用サッシに結露が発生しても窓枠材が結露によって劣化することを防止することができる。
【００２１】
また、本発明のサッシ用見切り材において、前記窓枠材支持部は、前記窓枠材の少なくとも前記内装ボードが嵌合可能に形成されていることが好ましい。このような構成を採用することにより、本発明のサッシ用見切り材を用いて窓を構成した時に、窓枠材の窓用サッシ側の側面が室内側から視認されず、美観上好ましい。
【００２２】
以上の本発明のサッシ用見切り材を用いることにより、以下の本発明のサッシ構造を提供することができる。
本発明のサッシ構造は、アングル状部を具備する窓用サッシに、本発明のサッシ用見切り材が取り付けられたことを特徴とする。そして、この本発明のサッシ構造によれば、本発明のサッシ用見切り材と同様の効果を得ることができる。
【００２３】
【発明の実施の形態】
次に、本発明に係る実施形態について詳述する。
図１〜図４に基づいて、本発明のサッシ用見切り材及びサッシ構造を用いて構成した窓の一実施形態について説明する。
図１は、室内側から見た時の本実施形態の窓の部分斜視図であって、サッシ用見切り材及びその近傍の構造を示す図であり、図示上側が天井側、図示下側が床側を示している。なお、図１では、各部材の構成を分かりやすくするために、各部材の高さを変えて図示している。
【００２４】
図２は、本実施形態の窓の縦断面図（床面に対して垂直方向に切断した時の断面図）、図３は、本実施形態の窓の横断面図（床面に対して水平方向に切断した時の断面図）である。なお、図２においては、図示上側が天井側、図示下側が床側を示している。また、図２、図３においては、いずれも図示右側が室内側、図示左側が室外側を示している。
【００２５】
図４（ａ）は、図３に示すサッシ用見切り材のみを取り出して拡大して示す断面図、図４（ｂ）は、図３に示すサッシ用見切り材及びその近傍を取り出して拡大して示す断面図である。
なお、各図においては、各部材を図面上で認識可能とするため、各部材毎に縮尺を異ならせてある。
【００２６】
以下、窓枠を構成する窓枠材のうち、天井側に位置する窓枠材及び床面に対して垂直方向に配置された左右の窓枠材については内装ボードを用いて構成し、床側の窓枠材については耐水性に優れ、美観にも優れた木材等からなる窓台により構成する場合について説明する。また、上述したように、本実施形態の窓は本発明のサッシ用見切り材を用いたことが最大の特徴であるので、特に、サッシ用見切り材の構造が特徴的なものとなっている。
【００２７】
図２、図３に示すように、本実施形態の窓１０においては、窓１０を設ける箇所に対応させて、柱、間柱、まぐさ等からなる木枠材２１Ａ〜２１Ｄが四方に取り付けられ、これら木枠材２１Ａ〜２１Ｄにより木枠２１が構成されている。なお、木枠材のうち、天井側、床側に配置されたものを各々２１Ａ、２１Ｂとし、室内側から窓１０を見た時に左側、右側に配置されたものを各々２１Ｃ、２１Ｄとする。
【００２８】
木枠２１の内部には開口部２０が形成されており、この開口部２０に対して室外側から、アルミニウム合金等の金属からなり、所定の形状を有する窓用サッシ３０が取り付けられ、窓用サッシ３０の、符号３２で示す領域に窓ガラス等（図示略）が嵌め込まれている。窓用サッシ３０の室内側端部には施工が容易であることから断面Ｌ字状のアングル状部３が形成されている。
【００２９】
なお、図２、図３においては、一枚の窓ガラスを嵌め込む場合について図示しているが、本発明はこれに限定されるものではなく、２枚の窓ガラスや網戸等を嵌め込む構成としても良く、所望の窓の構造に合わせて、適宜窓用サッシ３０の構造は設計される。
【００３０】
窓用サッシ３０は規格によりその寸法が決まっており、かつ、窓用サッシ３０を容易に開口部２０に嵌め込むために、開口部２０は窓用サッシ３０の寸法よりも大きく構成される。そこで、図３に示すように、窓１０の左右方向については、窓用サッシ３０と木枠材２１Ｃ、２１Ｄとの間に木片等からなるサッシスペーサ３１が介挿され、窓用サッシ３０と木枠２１との間の間隔調整が行われている。
【００３１】
一方、上下方向についても同様に、サッシスペーサにより窓用サッシ３０と木枠２１との間の間隔調整を行っても良いが、天井側の木枠材２１Ａについては、木枠材２１Ａ自体を上下に動かせて間隔調整を行うことができる場合がある。したがって、本実施形態では、図２に示すように、上下方向については、天井側の木枠材２１Ａを動かせて、窓用サッシ３０と木枠材２１Ａ、２１Ｂとの間隔調整を行ったものとし、サッシスペーサを用いない構成としている。
【００３２】
また、開口部２０の窓用サッシ３０の室内側には、開口部２０外周に沿って窓枠４０が取り付けられている。ここで、窓枠４０は、窓１０を室内側から見て天井側、床側、左側、右側にそれぞれ配置された窓枠材４０Ａ〜４０Ｄにより構成されている。そして、天井側及び左右に設けられた窓枠材４０Ａ、４０Ｃ、４０Ｄは内装ボード及び内装ボードに貼着されたクロス等の仕上げ材により構成されている。なお、クロス等の仕上げ材は窓枠材４０Ａ、４０Ｃ、４０Ｄが室内側に露出する部分に少なくとも貼着される。これに対して、床側に設けられた窓枠材４０Ｂは、耐水性に優れ、美観にも優れた木材等からなる窓台により構成されている。
【００３３】
また、木枠２１の図示右側には、内装ボードと同様の内壁ボード及びその表面に貼着されたクロス等からなる内壁材４３が、窓枠４０に隣接して取り付けられている。
【００３４】
窓枠４０と木枠２１との間には、窓枠４０の下地材である木片等からなる下地枠４１が取り付けられている。また、図３に示すように、サッシスペーサ３１が取り付けられた側（窓１０を室内側から見た時の左側、右側）については、下地枠４１は、木枠２１上にサッシスペーサ３１に隣接して取り付けられている。また、本実施形態において、サッシスペーサ３１と下地枠４１とは略同一厚みで構成されている。
【００３５】
また、内装ボードを用いて窓枠材を構成した側（窓１０を室内側から見た時の天井側、左側、右側）については、窓用サッシ３０のアングル状部３と下地枠４１との間に、サッシ用見切り材５０が介挿されている。このサッシ用見切り材５０は下地枠４１上に窓枠材４０Ａ、４０Ｃ、４０Ｄに隣接して取り付けられている。図１に示すように、サッシ用見切り材５０は、窓枠材４０Ａ、４０Ｃ、４０Ｄの窓用サッシ３０側の側面に沿って延在する角柱状の部材である。なお、図１は、室内側から窓１０を見た時に左側に位置するサッシ用見切り材５０及びその近傍の構造を示す部分斜視図である。
【００３６】
図４（ａ）、（ｂ）に基づいて、サッシ用見切り材５０の構造、及びサッシ用見切り材５０と窓用サッシ３０、窓枠材４０Ａ、４０Ｃ、４０Ｄとの関係について詳述する。なお、図４（ａ）は図３において図示下側に示すサッシ用見切り材５０を拡大して示す断面図、図４（ｂ）は図４（ａ）に示すサッシ用見切り材５０及びその近傍を拡大して示す断面図である。以下、サッシ用見切り材５０の構造はすべて共通であるため、図４に示すサッシ用見切り材５０及びその近傍を取り上げて説明する。
【００３７】
図４（ａ）に示すように、サッシ用見切り材５０の図示上面（下地枠４１と反対側の面）が窓用サッシ３０のアングル状部３に対向し、アングル状部３を支持するアングル状部支持面５１となっている。
【００３８】
また、金属からなる窓用サッシ３０の一部は室外に位置しているため、冬場等においては、室内よりも気温の低い室外の空気によって窓用サッシ３０が室内の空気よりも低い温度となり、窓用サッシ３０と室内の空気とが接触する箇所に結露が発生しやすい。そして、この結露が内装ボードを用いて構成された窓枠材４０Ｃに接触すると、内装ボードやクロス等が劣化する恐れがある。
【００３９】
そこで、図４（ａ）に示すように、本実施形態では、窓用サッシ３０に発生した結露が窓枠材４０Ｃ側に流れることを遮断するために、アングル状部支持面５１の図示右端に結露遮断用凸部５２を突設する構成としている。なお、サッシ用見切り材５０は耐水性を有することが必要であり、例えば、ポリスチレン樹脂、ＡＢＳ（アクリロニトリル‐ブタジエン‐スチレン共重合体）樹脂、ポリプロピレン樹脂等により構成される。
【００４０】
そして、図４（ｂ）に示すように、サッシ用見切り材５０のアングル状部支持面５１のうち、結露遮断用凸部５２が形成された領域を除く領域に、窓用サッシ３０のアングル状部３が取り付けられる。また、本実施形態において、結露遮断用凸部５２の高さはアングル状部３の高さと略同一になるように、かつ、アングル状部３の図示右端面が結露遮断用凸部５２の図示左端面に当接するように、結露遮断用凸部５２の高さ及び幅は設計されている。
【００４１】
このような構造を採用することにより、アングル状部３と結露遮断用凸部５２との間に隙間が形成されず、また、アングル状部３の図示上面と結露遮断用凸部５２の図示上面とを面一にすることができるので、美観上好ましい。さらに、アングル状部３の図示右端面が室内の空気に接しないため、窓用サッシ３０において、窓枠材４０Ｃに最も近接したアングル状部３の端面に結露が発生することを防止することができるという効果も合わせ持つ。
【００４２】
なお、アングル状部３とサッシ用見切り材５０との関係は上述のものに限定されるものではなく、アングル状部３と結露遮断用凸部５２の高さを非同一とする、あるいはアングル状部３と結露遮断用凸部５２との間に隙間を設ける構成を採用しても良い。このような構成とした場合には美観上好ましくなく、また、アングル状部３の図示右端面に結露が発生することを防止することはできないが、窓用サッシ３０に発生した結露が窓枠材４０Ｃ側に流れることを遮断するという効果は得られる。
【００４３】
また、上述したように、サッシ用見切り材５０は窓枠材４０Ｃが取り付けられる下地枠４１上に窓枠材４０Ｃに隣接して取り付けられる。したがって、サッシ用見切り材５０の図示下面は下地枠４１に当接している。
【００４４】
さらに、サッシ用見切り材５０の図示右側面には、図４（ａ）に示すように、窓枠材４０Ｃを嵌合するための嵌合部が形成されており、この嵌合部により、窓枠材４０Ｃを嵌合させて支持する窓枠材支持部５３が形成されている。そして、図４（ｂ）に示すように、窓枠材支持部５３（図４（ｂ）では図示略）に窓枠材４０Ｃの図示左端が嵌合され、窓枠材支持部５３内において、窓枠材４０Ｃの図示左側面がサッシ用見切り材５０に当接している。
【００４５】
なお、窓枠材４０Ｃは内装ボード及びクロス等の仕上げ材により構成されるが、クロス等の仕上げ材は窓枠材４０Ｃの図示上面であって窓枠材支持部５３に嵌合されていない部分に貼着される。したがって、窓枠材支持部５３の幅（図示上下方向の長さ）は、窓枠材４０Ｃの内装ボードの厚みと略同一の厚みに設定されており、窓枠材支持部５３は窓枠材４０Ｃの内装ボードを支持するものとなっている。
【００４６】
以上のような構成を採用することにより、窓枠材４０Ｃの窓用サッシ３０側の側面が室内側から視認されないので、美観上好ましい。なお、窓枠材４０Ｃとサッシ用見切り材５０との間には隙間が形成されていても良く、この場合にも窓枠材４０Ｃの窓用サッシ３０側の側面が室内側から視認されないので、本実施形態と同様の効果を得ることができる。
【００４７】
また、一般に、窓枠材４０Ｃを構成する内装ボードの厚みは規格等により決まっているが、本実施形態では、窓用サッシ３０のアングル状部３と下地枠４１と窓枠材４０Ｃとの間にサッシ用見切り材５０を介挿する構成を採用しており、サッシ用見切り材５０は、アングル状部３と窓枠材４０Ｃとの間の隙間を埋めるスペーサとして機能する。つまり、本実施形態では、下地枠４１とサッシ用見切り材５０の双方によって、窓用サッシ３０のアングル状部３と窓枠材４０Ｃとの間の間隔調整を行う構成になっている。
【００４８】
したがって、本実施形態によれば、下地枠４１の設計自由度が広がり、サッシスペーサ３１と下地枠４１の厚みを略同一とすることができる。その結果、サッシスペーサ３１と下地枠４１用に、厚みの異なる木片等を用意する必要がなくなるので、施工性の向上を図ることができる。
【００４９】
なお、サッシ用見切り材５０の図示右側面の構成については上述のものに限定されるものではなく、図５に示すように、サッシ用見切り材５０に嵌合部を形成せず、窓枠材４０Ｃの図示左側面をサッシ用見切り材５０の図示右側面に当接する構成としてもよい。この場合には、サッシ用見切り材５０の図示右側面が窓枠材支持部として機能する。なお、このような構成とした場合には、サッシ用見切り材５０は、アングル状部３と窓枠材４０Ｃとの間の隙間を埋めるスペーサとして機能するのではなく、アングル状部３と下地枠４１との間を埋めるスペーサとして機能する。
【００５０】
したがって、図５に示す構成としても、サッシ用見切り材５０をスペーサとして機能させることができ、サッシスペーサ３１と下地枠４１との厚みを略同一とすることができるので、施工性の向上を図ることができる。ただし、このような構成とした場合には、窓枠材４０Ｃの窓用サッシ３０側の側面が室内側から視認されるため、美観上好ましくない。
【００５１】
以上、窓用サッシ３０のアングル状部３とサッシ用見切り材５０と窓枠材４０Ｃとの関係について説明したが、窓枠材４０Ａ、４０Ｄを取り付けた側についても全く同様の構成である。
【００５２】
次に、図２、図３に基づいて、窓用サッシ３０の固定箇所について説明する。本実施形態において、窓用サッシ３０は、室外側については止めネジ６１により木枠２１あるいは木枠２１の開口部２０と反対側に配置された間柱２２に固定されている。すなわち、図２、図３に示すように、窓用サッシ３０は、室外側については、止めネジ６１により、木枠材２１Ａ、２１Ｂに隣接して木枠材２１Ａ、２１Ｂの開口部２０と反対側に配置された間柱２２、及び木枠材２１Ｃ、２１Ｄに固定されている。なお、室外側の固定は図示するものに限定されるものではなく、窓用サッシ３０の大きさと木枠２１との関係から適宜設計されるものである。
【００５３】
一方、室内側については、図２、図３に示すように、床側では窓用サッシ３０のアングル状部３が、止めネジ６３により窓台からなる窓枠材４０Ｂに固定され、窓１０を室内側から見て天井側、左側、右側では、窓用サッシ３０のアングル状部３が、止めネジ６２によりサッシ用見切り材５０に固定されている。
【００５４】
以上説明したように、本実施形態では、窓用サッシ３０と窓枠材４０Ａ、４０Ｃ、４０Ｄとの間に介挿されるサッシ用見切り材５０が、従来と同様に、窓用サッシ３０に発生した結露が少なくとも内装ボードからなる窓枠材４０Ａ、４０Ｃ、４０Ｄに接触することを防止する機能を有する他、窓用サッシ３０のアングル状部３と窓枠材４０Ａ、４０Ｃ、４０Ｄとの間、若しくはアングル状部３と下地枠４１との間の間隔調整を行うためのスペーサとして機能する構成になっている。
【００５５】
その結果、サッシスペーサ３１と下地枠４１との厚みを略同一とすることができるので、サッシスペーサ３１と下地枠４１用に、厚みの異なる木片等を用意する必要がなくなり、施工性の向上を図ることができる。さらに、これら部材を略同一厚みとすることができる結果、サッシスペーサ３１と下地枠４１とを一体形成することも可能になり、この場合には使用する部材点数の低減を図ることができ、施工性の向上を一層図ることができる。
【００５６】
また、本実施形態によれば、下地枠４１上にサッシ用見切り材５０と窓枠材４０Ａ、４０Ｃ、４０Ｄとを隣接して取り付ける構成を採用しているので、窓枠材４０Ａ、４０Ｃ、４０Ｄの施工を終了する前に、窓用サッシ３０の施工を完了することができ、施工性の向上を図ることができる。また、窓枠材４０Ａ、４０Ｃ、４０Ｄの施工を終了する前に、窓用サッシ３０の施工を完了することができるという効果は、図５に示した構造のサッシ用見切り材５０を用いる場合にも同様に得られる。なお、窓台からなる窓枠材４０Ｂについては、窓用サッシ３０を取り付ける前に施工される。
【００５９】
また、本実施形態では、床側については窓台からなる窓枠材４０Ｂを設ける場合について説明したが、本発明はこれに限定されるものではなく、床側についても内装ボードを用いて窓枠材を構成しても良く、この場合には、床側についてもサッシ用見切り材５０を天井側等と同様に設ければ良い。
【００６０】
【発明の効果】
以上詳細に説明したように、本発明によれば、施工性の向上を図ることができるサッシ用見切り材及びサッシ構造を提供することができる。
【図面の簡単な説明】
【図１】図１は、室内側から見た時の本発明に係る実施形態の窓の部分斜視図である。
【図２】図２は、本発明に係る実施形態の窓の縦断面図である。
【図３】図３は、本発明に係る実施形態の窓の横断面図である。
【図４】図４（ａ）、（ｂ）は、本発明に係る実施形態の窓を構成するサッシ用見切り材の構造を示す拡大断面図である。
【図５】図５は、サッシ用見切り材のその他の構造を示す図である。
【図６】図６は、従来の窓の横断面図である。
【符号の説明】
１０  窓
２０  開口部
２１  木枠
２１Ａ、２１Ｂ、２１Ｃ、２１Ｄ  木枠材
３０  窓用サッシ
３    アングル状部
３１  サッシスペーサ
４１  下地枠（下地材）
４０  窓枠
４０Ａ、４０Ｂ、４０Ｃ、４０Ｄ  窓枠材
５０  サッシ用見切り材
５１  アングル状部支持面
５２  結露遮断用凸部
５３  窓枠材支持部
【図１】
0003592649.tif 000002
【図２】
0003592649.tif 000003
【図３】
0003592649.tif 000004
【図４】
0003592649.tif 000005
【図５】
0003592649.tif 000006
【図６】
0003592649.tif 000007